【事件の表示】
　平成１０年特許願第１５６６４７号「感熱紙およびその製造方法」拒絶査定に対する審判事件［平成１１年１１月２４日出願公開、特開平１１−３２１１１１］について、次のとおり審決する。
【結　論】
　本件審判の請求は、成り立たない。
【理　由】
１．手続きの経緯・本願発明　
　本願は、平成１０年５月２０日の出願であって、平成１１年２月２日付けで拒絶理由が通知され、平成１１年４月１９日付けで補正書及び意見書が出され、平成１１年１１月２９日付けで拒絶査定がなされたものであり、その請求項１に係る発明は次のおりのものである。　
　
　「【請求項１】基材と、前記基材上に形成される感熱記録層と、前記感熱記録層を保護するためのオーバーコート層とを含む感熱紙の製造方法であって、未乾燥状態の前記オーバーコート層の材料の表面に平滑な面を有するフィルムを密着させ、前記オーバーコート層の材料を乾燥して成膜化したのちに前記フィルムが剥離される、感熱紙の製造方法。」　
　
２．原査定の概要　
　原査定の拒絶の理由は、本願請求項１に係る発明は、その出願前日本国内で頒布された、　
　刊行物１：特開昭６３−２０５２７８号公報　
に記載された発明であるから、特許法第２９条第１項第３号の規定に該当し特許を受けることができないというものである。　
　
３．当審の判断　
　3.1　刊行物１の記載事項　
　刊行物１には次の事項が記載されている。
　(a)「支持体上に加熱により発色する感熱記録層、保護層を順次設けた感熱記録紙において、該保護層の表面をキャスト面とすることを特徴とする感熱記録紙。」（特許請求の範囲）
　
　(b)「（従来の技術）
　発色剤と該発色剤と接触して呈色させる呈色剤との発色反応を利用して熱により発色画像を得るようにした感熱記録紙は良く知られている。・・・・・・・・・・・・・・・・・・・・・・・・・・・このような感熱記録紙は、一般に耐水性、耐油性、耐可塑剤性、耐溶剤性に劣っているため、例えば発色画像に水、油、プラスチックに含まれる可塑剤等が接触すると画像の退色あるいは消色を生じたりアルコールと接触すると地肌が発色するという欠点がある。
　かかる欠点を改良するために、感熱発色層の表面に水溶性高分子化合物や水性エマルジョン等を主成分とする高分子保護層を設けることが行なわれている。
　このような感熱記録紙は、紙、合成紙、フィルムなどの支持体上に感熱発色層を塗布した後、感熱発色層上に保護層を塗布して得られるが、表面平滑性を高め発色感度が向上するように、感熱層を塗布乾燥後及び／又は保護層を塗布乾燥後、マシンカレンダー、スーパーカレンダー等による平滑化処理を施こして製造されている。」（第１頁左下欄第１５行〜第２頁左上欄第１行）
　
　(c)「（発明が解決しようとする問題点）
　しかしながら、保護層を設けることに伴い新たな欠点が発生し、また満足すべきものが得られていない。
　例えば高分子保護層を設けたためサーマルヘッドから感熱発色層への熱伝導が阻害され発色感度が低下する。また、スーパーカレンダー等による高平滑にするため、地肌カブリの発生が避けられなかった。」（第２頁左上欄第２〜１０行）
　
　(d)「本発明の保護層表面をキャスト面とする方法は先づ支持体上に感熱記録層を設け、次に感熱記録層上に保護層塗液を塗布した後乾燥に至らない湿潤状態あるいは乾燥後再湿潤した状態で保護層表面を他の平滑体に接合させて乾燥し、乾燥後該保護層表面を平滑体から剥離するか、一度平滑体上に設けた保護層を感熱記録層上に転写することにより成される。
　平滑体としてはロール状、シート状あるいは無端ベルト状の形状を持ち、金属・プラスチックフィルム等の表面平滑性の優れた材料で製造されたものが用いられる。」（第２頁右上欄第２０行〜左下欄第１１行）
　
　(e)「実施例１
　（感熱記録層塗液の調整）
　ロイコ染料PSD-150（新日曹加工（株））１０部、ビスフェノールＡ３０部、エチレンビスステアリルアマイド１０部、ステアリン酸亜鉛２０部、炭酸カルシウム４０部を夫々平均粒径2μｍ以下になるようにサンドミルで分散したものとバインダー（ポリビニルアルコール）２５部とを水に混合して感熱記録層塗液を得た。
　（感熱記録層の形成）
　得られた塗液を６０ｇ／ｍ２の原紙に乾燥塗布量６ｇ／ｍ２になるように塗布乾燥して感熱記録紙を得た。
　（保護層塗液の調整）
　アクリル系コート剤（F-846　１５％水溶液；昭和電工製）６０部と酸化澱粉（MS-3600　１５％水溶液、日本食品製）２０部とクレー５０％水分散液１０部とステアリン酸亜鉛３０％水分散液１０部とジメチロール尿素１部とを水に混合して保護層塗液を調整した。
　得られた感熱記録紙の記録層上に前記組成の保護塗液を乾燥後の塗布量が３ｇ／ｍ２となるように塗布した後、塗布面をクロムメッキしたシリンダトライヤーに接合させ、接合した状態で乾燥し、乾燥後ロールより剥離してベック平滑度１０００秒の保護層被覆感熱記録紙を得た。
　実施例２
　実施例１の保護層塗液を乾燥塗布量３ｇ／ｍ２になるように５０μポリエステルフィルム上に塗布乾燥して得られた保護層をポリビニルアルコール８％水溶液で再湿潤して実施例１の感熱記録紙の記録層に接着して乾燥した。乾燥後ポリエステルフィルムを剥離してベック平滑度１０００秒の保護層被覆感熱記録紙を得た。」（第３頁右上欄第３行〜左下欄第１６行）
　
　3.2　対比判断　
　3.2.1　請求項１に係る発明（以下、「本願発明１」という。）について
　本願発明１は、「基材と、前記基材上に形成される感熱記録層と、前記感熱記録層を保護するためのオーバーコート層とを含む感熱紙の製造方法であって、未乾燥状態の前記オーバーコート層の材料の表面に平滑な面を有するフィルムを密着させ、前記オーバーコート層の材料を乾燥して成膜化したのちに前記フィルムが剥離される、感熱紙の製造方法。」（【請求項１】）であって、「紫外線硬化樹脂を用いることなく、光沢を有するオーバーコート層を製造することができる感熱紙の製造方法」の提供を目的とする。（本願明細書【０００４】）
　一方、刊行物１に記載の発明は、感熱発色層の表面に高分子保護層を設けた感熱記録紙の表面平滑性を高め発色感度が向上するように保護層を塗布乾燥後、マシンカレンダー、スーパーカレンダー等による平滑化処理を施して製造する感熱紙の製造において、スーパーカレンダー等により高平滑化するため、地肌カブリの発生が避けられなかった従来技術の問題点を解決するものであって、保護層の表面をキャスト面とするものである。（(a)〜(c)）
　そして、保護層表面をキャスト面とする方法は、支持体上に感熱記録層を設け、次に感熱記録層上に保護層塗液を塗布した後乾燥に至らない湿潤状態で保護層表面を他の平滑体に接合させて乾燥し乾燥後該保護層表面を平滑体から剥離することにより成され、平滑体としてはロール状、シート状あるいは無端ベルト状の形状を持った表面平滑の優れた材料が用いられる。(d)
　また、実施例１及び２には、「平滑体」として、塗布面をクロムメッキしたシリンダードライヤー、又はポリエステルフィルムを用いてベック平滑度１０００秒の保護層被覆感熱記録紙を得たことが記載されている。
　本願発明１における「感熱紙」、「オーバーコート層」は、それぞれ刊行物１に記載の「感熱記録紙」又は「保護層被覆感熱記録紙」、「高分子保護層」に相当する。
　そこで、本願発明１と刊行物１に記載の発明とを対比すると両者は、
　「基材と、前記基材上に形成される感熱記録層と、前記感熱記録層を保護するためのオーバーコート層とを含む感熱紙の製造方法であって、未乾燥状態の前記オーバーコート層の材料の表面に平滑な面を有するフィルムを適用し、前記オーバーコート層の材料を乾燥して成膜化したのちに前記フィルムが剥離される感熱紙の製造方法。」において一致し、次の点で一応相違する。
　本願発明１が、オーバーコート層の材料の表面に平滑な面を有するフィルムを「密着」させるのに対し、刊行物１に記載の事項ではオーバーコート層の材料の表面に平滑な面を有するフィルムを「接合」する点。
　相違点について検討する。
　刊行物１に記載の感熱紙の製造において、オーバーコート層の材料の表面に平滑な面を有するフィルムを「接合」するのは、平滑な表面のオーバーコート層を得るためである。
　そして、一般に、感熱紙の表面において使用する表面箇所は、記録する文字、画像等及びその記録位置に応じて変わり、使用する表面箇所を予め知ることはできないから、オーバーコート層を有する感熱記録紙の表面はその全面を平滑化し、該表面の如何なる部分を使用しても良好な感熱記録ができるようにするのが当業者の常識であり、従来も、スーパーカレンダー等により感熱記録紙の全表面を平滑化していたものと認められる。
　したがって、引用例１では、オーバーコート層の材料の表面に平滑な面を有するフィルムを「接合」して全表面にわたって平滑な面を形成するものと認められるから、引用例１における「接合」は本願発明１の「密着」と実質的な相違はなく単なる用語上の相違にすぎない。
　そして、刊行物１に記載の実施例１又は２には、アクリルコート剤、澱粉等を成分とする水分散塗液を塗布乾燥してオーバーコート層とする例が示されており、紫外線硬化樹脂を使用するものではない点でも本願発明１と同じである。
　したがって、本願発明１は、その出願前に頒布された刊行物１に記載された発明である。
　
　４．まとめ
　以上のとおりであるから、本願請求項１に係る発明は特許法第２９条第１項第３号に該当し特許を受けることはできない。
　よって、結論のとおり審決する。